(57)【要約】【課題】  本発明は、カラー印刷機により、プロセスインクに加え特色インクを使用した印刷用の画像データをプリンタ用の画像データに変換する色変換装置等に関し、特色を含む印刷用のデータを、プリンタ用のデータに変換するにあたり、様々なタイプのプリンタに適合し、かつ特色の調整にも適性のある色変換を行なう。【解決手段】  特色名とＬ*ａ*ｂ*値とを対応づけたＬ*ａ*ｂ*分解特色テーブルを参照して、特色名を、Ｌ*ａ*ｂ*値に一旦変換し、その変換により得られたＬ*ａ*ｂ*値をプリンタプロファイルを参照してプリンタ用のインク色のプロセスカラーに変換する第１の特色処理部（ステップＳ２０）と、特色名とプリンタ用のインク色とを直接に対応づけたＮ色分解テーブルを参照して、特色名を、プリンタ用のインク色のデータに変換する第２の特色処理部（ステップＳ３０）との双方を持ち、いずれかを切り換えてあるいはいずれかを優先的に利用する。【選択図】        図２４
2005278074.tif 000002
【特許請求の範囲】
【請求項１】
印刷用のプロセス色の階調データと印刷用の特色の階調データとからなる印刷用画像データをプリンタ用の階調データからなるプリンタ用画像データに変換する色変換装置において、
印刷用のプロセス色とプリンタ用の色とを対応づけたリンクプロファイルを有し、該リンクプロファイルに従って前記印刷用画像データ中のプロセス色階調データを前記プリンタ用の階調データに変換するプロセス色処理部と、
印刷用の特色の特色名と、所定の共通色空間の、該特色の最大濃度に対応する座標とを対応づけた第１の特色名変換テーブルと、該共通色空間とプリンタ用の色とを対応づけたプリンタプロファイルとを有し、前記印刷用画像データ中の特色の特色名を、該第１の特色名変換テーブルを参照して該共通色空間の座標に一旦変換し、該変換により得られた該共通色空間の座標を、該プリンタプロファイルを参照して、該特色の最大濃度に対応するプリンタ用の階調データに変換する第１の特色処理部と、
印刷用の特色の特色名と、該特色の最大濃度に対応するプリンタ用の色とを対応づけた第２の特色名変換テーブルを有し、前記印刷用画像データ中の特色の特色名を、該第２の特色名変換テーブルを参照して、該特色の最大濃度に対応するプリンタ用の階調データに変換する第２の特色処理部と、
前記第１および第２の特色処理部をそれぞれ作用させるか否かを決定する特色処理決定部と、
前記プロセス色処理部で得られたプリンタ用の階調データと前記印刷用画像データ中の特色の階調データを、前記第１の特色変換部を作用させた場合に該第１の特色変換部で得られる、印刷用の特色の最大濃度に対応するプリンタ用の色の階調データと、前記第２の特色変換部を作用させた場合に該第２の特色変換部で得られる、印刷用の特色の最大濃度に対応するプリンタ用の階調データとに従って合成して、前記プリンタ用画像データを生成する色合成部とを備えたことを特徴とする色変換装置。
【請求項２】
前記特色処理決定部が、前記第１および第２の特色処理部をそれぞれ作用させるか否かを決定するとともに、双方の特色処理部を作用させる場合に、作用させる優先順位を決定するものであることを特徴とする請求項１記載の色変換装置。
【請求項３】
印刷用の特色の特色名とプリンタ用の特定の色名とを対応づけた第３の特色名変換テーブルを有し、前記印刷用画像データ中の特色の特色名を、該第３の特色名変換テーブルを参照して、該特色名に対応するプリンタ用の特定の色名に変換する第３の特色処理部をさらに備え、
前記特色処理決定部は、前記第１および第２の特色処理部をそれぞれ作用させるか否かを決定するとともに前記第３の特色処理部を作用させるか否かを決定するものであり、
前記色合成部は、前記プロセス色処理部で得られたプリンタ用の階調データと前記印刷用画像データ中の特色の階調データを、前記第１の特色変換部を作用させた場合に該第１の特色変換部で得られる、印刷用の特色の最大濃度に対応するプリンタ用の階調データと、前記第２の特色変換部を作用させた場合に該第２の特色変換部で得られる、印刷用の特色の最大濃度に対応するプリンタ用の階調データとに加え、さらに、前記第３の特色変換部を作用させた場合に該第３の特色変換部で得られる、印刷用の特色名に対応するプリンタ用の特定の色名とに従って合成して、前記プリンタ用画像データを生成するものであることを特徴とする請求項１記載の色変換装置。
【請求項４】
前記特色処理決定部が、前記第１、第２、および第３の特色処理部をそれぞれ作用させるか否かを決定するとともに、これら第１、第２、および第３の特色処理部のうちの２つ以上の特色処理部を作用させる場合に、作用させる優先順位を決定するものであることを特徴とする請求項３記載の色変換装置。
【請求項５】
プログラムが実行される情報処理装置内で実行され、該情報処理装置を、印刷用のプロセス色の階調データと印刷用の特色の階調データとからなる印刷用画像データをプリンタ用の階調データからなるプリンタ用画像データに変換する色変換装置として動作させる色変換プログラムにおいて、
前記情報処理装置を、印刷用のプロセス色とプリンタ用の色とを対応づけたリンクプロファイルを有し、該リンクプロファイルに従って前記印刷用画像データ中のプロセス色階調データを前記プリンタ用の階調データに変換するプロセス色処理部と、
印刷用の特色の特色名と所定の共通色空間の、該特色の最大濃度に対応する座標とを対応づけた第１の特色名変換テーブルと、該共通色空間とプリンタ用の色とを対応づけたプリンタプロファイルとを有し、前記印刷用画像データ中の特色の特色名を、該第１の特色名変換テーブルを参照して該共通色空間の座標に一旦変換し、該変換により得られた該共通色空間の座標を該プリンタプロファイルを参照して、該特色の最大濃度に対応する、プリンタ用の階調データに変換する第１の特色処理部と、
印刷用の特色の特色名と該特色の最大濃度に対応するプリンタ用の色とを対応づけた第２の特色名変換テーブルを有し、前記印刷用画像データ中の特色の特色名を、該第２の特色名変換テーブルを参照して、該特色の最大濃度に対応するプリンタ用の階調データに変換する第２の特色処理部と、
前記第１および第２の特色処理部をそれぞれ作用させるか否かを決定する特色処理決定部と、
前記プロセス色処理部で得られたプリンタ用の階調データと前記印刷用画像データ中の特色の階調データを、前記第１の特色変換部を作用させた場合に該第１の特色変換部で得られる、特色の最大濃度に対応するプリンタ用の階調データと、前記第２の特色変換部を作用させた場合に該第２の特色変換部で得られる、特色の最大濃度に対応するプリンタ用の階調データとに従って合成して、前記プリンタ用画像データを生成する色合成部とを備えた色処理装置として動作させることを特徴とする色変換プログラム。
【請求項６】
前記特色処理決定部が、前記第１および第２の特色処理部をそれぞれ作用させるか否かを決定するとともに、双方の特色処理部を作用させる場合に、作用させる優先順位を決定するものであることを特徴とする請求項５記載の色変換プログラム。
【請求項７】
前記情報処理装置を、さらに、印刷用の特色の特色名とプリンタ用の特定の色名とを対応づけた第３の特色名変換テーブルを有し、前記印刷用画像データ中の特色の特色名を、該第３の特色名変換テーブルを参照して、該特色名に対応するプリンタ用の特定の色名に変換する第３の特色処理部を備えた色変換装置として動作させる色変換プログラムであって、
前記特色処理部は、前記第１および第２の特色処理部をそれぞれ作用させるか否かを決定するとともに前記第３の特色処理部を作用させるか否かを決定するものであり、
前記色合成部は、前記プロセス色処理部で得られたプリンタ用の階調データと前記印刷用画像データ中の特色の階調データを、前記第１の特色変換部を作用させた場合に該第１の特色変換部で得られる、特色の最大濃度に対応するプリンタ用の階調データと、前記第２の特色変換部を作用させた場合に該第２の特色変換部で得られる特色の最大濃度に対応するプリンタ用の階調データとに加え、さらに、前記第３の特色変換部を作用させた場合に該第３の特色変換部で得られる、印刷用の特色名に対応するプリンタ用の特定の色名とに従って合成して前記プリンタ用画像データを生成するものである色処理装置として動作させることを特徴とする請求項５記載の色変換プログラム。
【請求項８】
前記特色処理決定部が、前記第１、第２、および第３の特色処理部をそれぞれ作用させるか否かを決定するとともに、これら第１、第２、および第３の特色処理部のうちの２つ以上の特色処理部を作用させる場合に、作用させる優先順位を決定するものであることを特徴とする請求項７記載の色変換プログラム。
【発明の詳細な説明】
【技術分野】
【０００１】
本発明は、カラー印刷機により、プロセス色に加え特色を使用したカラー印刷を行なうにあたり、プリンタを用いて、カラー印刷物の色を再現したプルーフ画像をプリント出力するシステムに適用し、印刷用の画像データをプリンタ用の画像データに変換する色変換装置、およびコンピュータ等の情報処理装置をそのような色変換装置として動作させる色変換プログラムに関する。
【背景技術】
【０００２】
従来より、カラー印刷機を用いてカラー画像印刷を行なうにあたっては、印刷を行なう前に、プリンタを用いて、その印刷機で印刷される画像の色と極力同じ色に似せたプルーフ画像をプリント出力することが行なわれている。このようなプルーフ画像を作成するにあたっては、印刷を行なおうとしている印刷機の種類や、その印刷機の使用条件等（使用されるインクの種類や紙の紙質等；印刷機の種類を含め、ある１つの印刷に必要な条件を印刷条件と称する）に対応した、画像データと実際の印刷物の色との関係を記述した印刷プロファイルと、プルーファ画像を出力するプリンタの種類やそのプリンタの使用条件等（プリンタの種類を含め、ある１つのプルーフ画像のプリント出力に必要な条件をプリント条件と称する）に対応した、画像データと実際に出力される画像の色との関係を記述したプリンタプロファイルとを知り、これら印刷プロファイルとプリンタプロファイルとに基づいて印刷用の画像データをプリンタ用の画像データに変換し、この変換されたプリンタ用の画像データに基づいてプルーフ画像を出力する。こうすることにより、実際の印刷物と色の一致したプルーフ画像を得ることができる。通常、典型的な印刷条件に対応した印刷プロファイルは印刷業者から提供され、プリンタプロファイルも、プルーフ画像出力用を目的としたプリンタ等については、そのプリンタ等のメーカから提供される。
【０００３】
印刷用の画像データをプリンタ用の画像データに変換してプルーフ画像を出力しようとするにあたっては、通常、印刷プロファイルとプリンタプロファイルとを合体させて１つのＬＵＴ（ルックアップテーブル）形成のリンクプロファイルを作成し、そのＬＵＴを参照することと、そのＬＵＴには対応関係が記述されていない下位ビット側については補間演算を行なうことにより、印刷用の画像データがプリンタ用の画像データに変換される。
【０００４】
ここで、印刷は、通常はＣＭＹＫ４色のプロセスインクを使用して行なわれるが、それら４色のプロセスインクに加え、特色インクが使用される場合がある。この場合に、ＣＭＹＫ４色のプロセスインクと、多数存在する種々の特色インクとの全ての組合せについて印刷プロファイルを用意するのは現実的ではなく、通常はＣＭＹＫ４色のプロセスインクを使用した印刷に関する印刷プロファイルが用意される。したがって上述のようにして作成されるＬＵＴは、ＣＭＹＫ４色のプロセスインクを使用して印刷を行なうときのＣＭＹＫ４色の色空間で定義されたプロセス色画像データを、プリンタ用の、例えばＣＭＹＫ４色の色材を使用してプリント画像を出力するときのＣＭＹＫ４色の色空間で定義される画像データに変換するＬＵＴである。ここで、互いの識別のために印刷用のＣＭＹＫをＣ1Ｍ1Ｙ1Ｋ1と称し、プリンタ用のＣＭＹＫをＣ2Ｍ2Ｙ2Ｋ2と称する。
【０００５】
このような状況下において、Ｃ1Ｍ1Ｙ1Ｋ1４色のプロセスインクのほかに特色インクも使用した印刷を行なうときに、その印刷物のプルーフ画像をどのようにして出力するかが問題となる。
【０００６】
この点に関し、特許文献１に１つの提案がある。この提案では、印刷用のプロセス色画像データ（Ｃ1Ｍ1Ｙ1Ｋ1データ）については、上述のリンクプロファイルを参照してプリンタのプロセス色画像データ（Ｃ2Ｍ2Ｙ2Ｋ2データあるいはＲＧＢデータ）に変換する。また、特色については、特色名と、特色インクのメーカ等から入手できる、その特色名の特色インクの特性（Ｌ*ａ*ｂ*色空間上の座標値（Ｌ*ａ*ｂ*値）等）との対応テーブルを作成しておいて、今回の印刷に使用する特色インクの特色名をＬ*ａ*ｂ*値に変換し、次いでプリンタプロファイルを参照してそのＬ*ａ*ｂ*値をプリンタのプロセス色画像データに変換する。このときのプロセス色画像データは、その特色インクの、網％が１００％のときのべた（最大濃度）の色に対応するデータである。そこで、この特色のべたに対応するプロセス色画像データのほか、その特色の今回の印刷用の特色の階調データ（網％データ）も入力し、これらのデータから特色のその階調データに対応するプロセス色画像データを求め、さらに印刷のプロセス色画像データを変換して得たプリンタのプロセス色画像データと上記のようにして求めた特色のプロセス色画像データとを合成して、プリンタ入力用の画像データを求める。この特許文献１の手法を流用すると、印刷プロファイルとプリンタプロファイル（およびそれらを合体したリンクプロファイル）のほかは、特色のメーカ推奨の特性（Ｌ*ａ*ｂ*値）を入手すればよく、かなり汎用性の高い色変換システムを容易に構築することができる。
【特許文献１】特開２００１−１５７０７４号公報
【発明の開示】
【発明が解決しようとする課題】
【０００７】
上記の特許文献１にて提案された手法は、簡便であり、汎用性も高く、かなり優れた方法である。しかしながら、例えばこの特許文献１にて提案された手法で色変換システムを構築して画像をプリント出力したときに、印刷用の特色に対応する部分の印象が合わず、その特色のプリント画像上の色を少し調整したいという要求を生じることがある。これは、印刷用の特色の特性（Ｌ*ａ*ｂ*値）はその特色インクのメーカ等から入手したものであるが、網％＝１００％のべた濃度に対応するＬ*ａ*ｂ*値であり、所定の網％のデータに変換したときに誤差が入りこみ、あるいはプリンタプロファイルについても万全ではなく、誤差を持っていたり、通常はＬＵＴの形式であり補間演算を伴うためここでも誤差が入り込む余地があるなど、様々な誤差要因で、印刷用の特色のプリント画像上の印象が少し異なってしまうことがあるからである。
【０００８】
特許文献１にて提案された手法は、特色名とＬ*ａ*ｂ*値とを対応づけたテーブルを持つ色変換システムであり、プリント画像上の、印刷用の特色に対応する部分の色を調整するときは、その特色名に対応するＬ*ａ*ｂ*値を書き換えることになる。
【０００９】
ところが、このＬ*ａ*ｂ*値を書き換えるのは、Ｌ*，ａ*，ｂ*のどの値をどれだけ書き変えると所望の色に近づくか直感的には分かりにくく調整が困難であるという問題がある。
【００１０】
また、プロセスインクだけでなく特色インクを併用することのできるプリンタも存在するが、上記の特許文献１にて提案された手法を利用すると、特色インクを併用して特色を表現することはできない。また、特許文献１にて提案された手法は印刷画像が２値画像の場合には特色を他の色に分解できないという問題もある。
【００１１】
本発明は、上記事情に鑑み、特色を含む印刷用のデータを、プリンタ用のデータに変換するにあたり、様々なタイプのプリンタに適合し、かつ、印刷用の特色に対応するプリント画像上の色の調整にも適性のある色変換装置、およびコンピュータ等の情報処理装置をそのような色変換装置として動作させる色変換プログラムを提供することを目的とする。
【課題を解決するための手段】
【００１２】
上記目的を達成する本発明の色変換装置は、印刷用のプロセス色の階調データ印刷用のと特色の階調データとからなる印刷用画像データをプリンタ用の階調データからなるプリンタ用画像データに変換する色変換装置において、印刷用のプロセス色とプリンタ用の色とを対応づけたリンクプロファイルを有し、該リンクプロファイルに従って印刷用画像データ中のプロセス色階調データをプリンタ用の階調データに変換するプロセス色処理部と、印刷用の特色の特色名と、所定の共通色空間の、その特色の最大濃度に対応する座標とを対応づけた第１の特色名変換テーブルと、共通色空間とプリンタ用の色とを対応づけたプリンタプロファイルとを有し、印刷用画像データ中の特色の特色名を、第１の特色名変換テーブルを参照して共通色空間の座標に一旦変換し、その変換により得られた共通色空間の座標を、プリンタプロファイルを参照して、その特色の最大濃度に対応するプリンタ用の階調データに変換する第１の特色処理部と、印刷用の特色の特色名とその特色の最大濃度に対応するプリンタ用の色とを対応づけた第２の特色名変換テーブルを有し、印刷用画像データ中の特色の特色名を、第２の特色名変換テーブルを参照して、その特色の最大濃度に対応するプリンタ用の階調データに変換する第２の特色処理部と、上記第１および第２の特色処理部をそれぞれ作用させるか否かを決定する特色処理決定部と、上記プロセス色処理部で得られたプリンタ用の階調データと印刷用画像データ中の特色の階調データを、第１の特色変換部を作用させた場合にその第１の特色変換部で得られる、印刷用の特色の最大濃度に対応するプリンタ用の階調データと、第２の特色変換部を作用させた場合にその第２の特色変換部で得られる、印刷用の特色の最大濃度に対応するプリンタ用の階調データとに従って合成して、プリンタ用画像データを生成する色合成部とを備えたことを特徴とする。
【００１３】
ここで、上記特色処理決定部が、上記第１および第２の特色処理部をそれぞれ作用させるか否かを決定するとともに、双方の特色処理部を作用させる場合に、作用させる優先順位を決定するものであることが好ましい。
【００１４】
本発明の色変換装置には、上記の第１の特色処理部と第２の特色処理部との双方が備えられている。
【００１５】
第１の特色処理部は、上述の特許文献１にて提案された手法を取り入れた特色処理部であり、特色名と共通色空間（例えばＬ*ａ*ｂ*色空間）の座標（例えばＬ*ａ*ｂ*値）とを対応づけた第１の特色名変換テーブルを有する。この第１の特色名変換テーブルは、前述したとおり、インクメーカ等から入手した印刷用の特色の特性（Ｌ*ａ*ｂ*値）をそのまま書き込んでおけばよく、作成は容易であるが、印刷用の特色に対応する、プリント画像上の色を調整するのが直感的ではない。一方、第２の特色処理部は、特色名とプリンタ用の色とを直接に対応づけた第２の特色名変換テーブルを有し、この第２の特色名変換テーブルは、インクメーカ等から入手した印刷用の特色の特性（Ｌ*ａ*ｂ*値）をそのまま書き込んでおけばよいというものではなく、特色名がプリンタ用の所望の階調データに変換されるように作成しておく必要があり、その作成に手間がかかる。ただし、一旦作成してさえおけば、印刷用のある特色に対応するプリント画像上の色を調整したいときは、その第２の特色名変換テーブルには、プリント画像上の色と直感的に対応づけられるプリンタ用の色の値が書き込まれているため、この値を書き換えることによって、印刷用の特色に対応するプリント画像上の色を所望の方向に容易に調整することができる。
【００１６】
また、この第２の特色処理部の場合、使用されるプリンタが特色インクを併用することのできるプリンタである場合、第２の特色名変換テーブルにその特色インクを含むプリンタ用の色の値を書き込んでおくことにより、特色インクを併用した色調整を行なうこともできる。
【００１７】
本発明の色変換装置では、上記のような異なる特徴を持つ第１および第２の特色処理部を持ち、特色決定部でそれら２つの特色処理部のうちのいずれを使うかが決定される。あるいは双方を使うことを許容し、それらの優先順位を決定するようにしてもよい。
【００１８】
本発明の色変換装置は、このような構成とすることにより、様々なタイプのプリンタに適合し、かつ、印刷用の特色に対応するプリント画像上の色を調整する必要があるか否か等の様々な場面に適合した色変換装置が実現する。
【００１９】
ここで、本発明の色変換装置において、印刷用の特色の特色名とプリンタ用の特定の色名とを対応づけた第３の特色名変換テーブルを有し、印刷用画像データ中の特色の特色名を、第３の特色名変換テーブルを参照して、その特色名に対応するプリンタ用の特定の色名に変換する第３の特色処理部をさらに備え、上記特色処理決定部は、前記第１および第２の特色処理部をそれぞれ作用させるか否かを決定するとともに上記第３の特色処理部を作用させるか否かを決定するものであり、上記色合成部は、前記プロセス色処理部で得られたプリンタ用の階調データと前記印刷用画像データ中の特色の階調データを、前記第１の特色変換部を作用させた場合にその第１の特色変換部で得られる、印刷用の特色の最大濃度に対応するプリンタ用の階調データと、第２の特色変換部を作用させた場合にその第２の特色変換部で得られる、印刷用の特色の最大濃度に対応するプリンタ用の階調データとに加え、さらに、第３の特色変換部を作用させた場合にその第３の特色変換部で得られる、印刷用の特色名に対応するプリンタ用の特定の色名に従って合成して、プリンタ用画像データを生成するものであることが好ましい。
【００２０】
この場合に、上記特色処理決定部は、上記第１、第２、および第３の特色処理部をそれぞれ作用させるか否かを決定するとともに、これら第１、第２、および第３の特色処理部のうちの２つ以上の特色処理部を作用させる場合に、作用させる優先順位を決定するものであることが好ましい。
【００２１】
特色インクを併用できるプリンタの場合、今回の印刷に用いる特色のインクの特性とプリンタで併用できる特色インクの特性が十分な精度をもって合致していることも有り得る。
【００２２】
上記の第３の特色処理部を備えると、このような場合に有効であり、印刷用の特色をプリンタで使うことのできる特色にそのまま置き換えることができる。
【００２３】
また、上記目的を達成する本発明の色変換プログラムは、プログラムが実行される情報処理装置内で実行され、その情報処理装置を、印刷用のプロセス色の階調データと印刷用の特色の階調データとからなる印刷用画像データをプリンタ用の階調データからなるプリンタ用画像データに変換する色変換装置として動作させる色変換プログラムにおいて、上記情報処理装置を、印刷用のプロセス色とプリンタ用の色とを対応づけたリンクプロファイルを有し、そのリンクプロファイルに従って印刷用画像データ中のプロセス色階調データをプリンタ用の階調データに変換するプロセス色処理部と、印刷用の特色の特色名と、所定の共通色空間の、その特色の最大濃度に対応する座標とを対応づけた第１の特色名変換テーブルと、共通色空間とプリンタ用の色とを対応づけたプリンタプロファイルとを有し、印刷用画像データ中の特色の特色名を、第１の特色名変換テーブルを参照して共通色空間の座標に一旦変換し、その変換により得られた共通色空間の座標を、プリンタプロファイルを参照して、その特色の最大濃度に対応するプリンタ用の階調データに変換する第１の特色処理部と、印刷用の特色の特色名とその特色の最大濃度に対応するプリンタ用の色とを対応づけた第２の特色名変換テーブルを有し、印刷用画像データ中の特色の特色名を、第２の特色名変換テーブルを参照して、その特色の最大濃度に対応するプリンタ用の階調データに変換する第２の特色処理部と、上記第１および第２の特色処理部をそれぞれ作用させるか否かを決定する特色処理決定部と、上記プロセス色処理部で得られたプリンタ用の階調データと印刷用画像データ中の特色の階調データを、第１の特色変換部を作用させた場合にその第１の特色変換部で得られる、印刷用の特色の最大濃度に対応するプリンタ用の階調データと、第２の特色変換部を作用させた場合にその第２の特色変換部で得られる、印刷用の特色の最大濃度に対応するプリンタ用の階調データとに従って合成して、前記プリンタ用画像データを生成する色合成部とを備えた色処理装置として動作させることを特徴とする。
【００２４】
ここで、上記特色処理決定部が、上記第１および第２の特色処理部をそれぞれ作用させるか否かを決定するとともに、双方の特色処理部を作用させる場合に、作用させる優先順位を決定するものであることが好ましい。
【００２５】
また、上記本発明の色変換プログラムが、上記情報処理装置を、さらに、印刷用の特色の特色名とプリンタ用の特定の色名とを対応づけた第３の特色名変換テーブルを有し、印刷用画像データ中の特色の特色名を、その第３の特色名変換テーブルを参照して、その特色名に対応するプリンタ用の特定の色名に変換する第３の特色処理部を備えた色変換装置として動作させる色変換プログラムであって、上記特色処理部は、上記第１および第２の特色処理部をそれぞれ作用させるか否かを決定するとともに上記第３の特色処理部を作用させるか否かを決定するものであり、上記色合成部は、プロセス色処理部で得られたプリンタ用の階調データと印刷用画像データ中の特色の階調データを、第１の特色変換部を作用させた場合にその第１の特色変換部で得られる、印刷用の特色の最大濃度に対応するプリンタ用の階調データと、第２の特色変換部を作用させた場合にその第２の特色変換部で得られる、印刷用の特色の最大濃度に対応するプリンタ用の階調データとに加え、さらに、第３の特色変換部を作用させた場合にその第３の特色変換部で得られる、印刷用の特色名に対応するプリンタ用の特定の色名に従って合成して、プリンタ用画像データを生成するものであるデータ処理装置として動作させるものであることが好ましい。
【００２６】
この場合には、上記特色処理決定部が、上記第１、第２、および第３の特色処理部をそれぞれ作用させるか否かを決定するとともに、これら第１、第２、および第３の特色処理部のうちの２つ以上の特色処理部を作用させる場合に、作用させる優先順位を決定するものであることが好ましい。
【発明の効果】
【００２７】
以上説明したように、本発明によれば、特色を含む印刷用の画像データを、プリンタ用の画像データに変換するにあたり、様々なタイプのプリンタに適合し、かつ印刷用特色に対応するプリント画像上の色の調整にも適性のある色変換を行なうことができる。
【発明を実施するための最良の形態】
【００２８】
以下、本発明の実施形態について説明する。
【００２９】
図１は、本発明の一実施形態が適用された印刷およびプルーフ画像作成システムの全体構成図である。
【００３０】
カラースキャナ１０では、原稿画像が読み取られて、その読み取られた原稿画像をあらわすＣＭＹＫ４色の色分解画像データが生成される。このＣＭＹＫの画像データはワークステーション２０に入力される。ワークステーション２０では、オペレータにより、入力された画像データに基づく、電子的な集版が行なわれ、印刷用の画像をあらわす画像データが生成される。ここでは、ワークステーション２０を操作するオペレータによって、ＣＭＹＫ４色のプロセスカラーインクのみでなく、ある特色インクを使用した印刷を行なうことが決定され、電子集版では、その特色を含めた画像がデザインされる。したがって、ここでは、その印刷用の画像をあらわす印刷用画像データとしてＣＭＹＫ４色の色空間の座標値（Ｃ，Ｍ，Ｙ，Ｋそれぞれの網％の組合せ）として定義されるプロセス色の階調データと、その採用される特色の階調データが生成される。これらプロセス色の階調データと特色の階調データとからなる印刷用画像データは、印刷を行なう場合は、フィルムプリンタ３０に入力され、フィルムプリンタ３０では、その入力された印刷用画像データに対応した、ＣＭＹＫ各版とさらに特色用の版とからなる印刷用フィルム原版が作成される。ここで、後の識別のために、印刷用のＣＭＹＫを、ここではＣ1Ｍ1Ｙ1Ｋ1と表記する。
【００３１】
この印刷用フィルム原版からは刷版が作成され、その作成された刷版が印刷機４０に装着される。この印刷機に装着された刷版にはインクが塗布され、その塗布されたインクが印刷用の用紙上に転写されてその用紙上に画像４１が形成される。このとき使用されるインクは、Ｃ1Ｍ1Ｙ1Ｋ1４色のプロセスインクと、所定の特色インクであり、画像４１上には、特色インクで印刷された画像部分４１ａが存在する。
【００３２】
このフィルムプリンタ３０によりフィルム原版を作成し、さらに刷版を作成して印刷機４０に装着し、その刷版にインクを塗布して用紙上に印刷を行なう一連の作業は、大がかりな作業であり、コストもかかる。このため、実際の印刷作業を行なう前に、プリンタにより、以下のようにしてプルーフ画像６１を作成し、印刷画像４１の仕上りの事前確認が行なわれる。
【００３３】
プルーフ画像を作成するにあたっては、ワークステーション２０上の電子集版により作成された印刷用画像データがパーソナルコンピュータ５０に入力される。ここで、このパーソナルコンピュータ５０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ５０では、いわゆるＲＩＰ（Ｒａｓｔｅｒ  Ｉｍａｇｅ  Ｐｒｏｃｅｓｓｏｒ）により、ビットマップに展開された、ＣＭＹＫ４色のプロセス色の階調データおよび特色の階調データに変換される。このＣＭＹＫ４色のプロセス色階調データと特色の階調データとを合わせた画像データは、実質的には、フィルムプリンタ３０に入力される印刷用画像データと同一である。
【００３４】
これらのプロセス色の階調データおよび特色の階調データは、このパーソナルコンピュータ５０の内部で、プリンタ６０に適合した、ＣＭＹＫ４色の画像データに変換される。プリンタ６０には、そのＣＭＹＫ４色の画像データが入力され、プリンタ６０では、その入力されたＣＭＹＫ４色の画像データに基づくプルーフ画像６１が作成される。
【００３５】
尚、プリンタ６０として特色インクを併用するプリンタを採用することもできる。特色を併用するプリンタについては後述することとし、ここでは、説明の簡単のため、ＣＭＹＫ４色のプロセスインクを用いてプルーフ画像６１をプリント出力するものとして説明を続ける。
【００３６】
ここで、印刷機４０による印刷で得られた画像４１とプリンタ６０で得られたプルーフ画像の色の一致の程度は、パーソナルコンピュータ５０内の色変換により定まる。尚、この図１に示す測色計７０については後で説明する。
【００３７】
このようにしてプルーフ画像を作成してそのプルーフ画像を確認することにより、印刷の仕上りを事前に確認することができる。
【００３８】
ここで、この図１に示すプルーフ画像作成システムにおける、本発明の一実施形態としての特徴は、パーソナルコンピュータ５０の内部で実行される処理内容にあり、以下、このパーソナルコンピュータ５０について説明する。
【００３９】
図２は、図１に１つのブロックで示すパーソナルコンピュータ５０の外観斜視図、図３は、そのパーソナルコンピュータ５０のハードウェア構成図である。
【００４０】
このパーソナルコンピュータ５０は、外観構成上、本体装置５１、その本体装置５１からの指示に応じて表示画面５２ａ上に画像を表示する画像表示装置５２、本体装置５１に、キー操作に応じた各種の情報を入力するキーボード５３、および、表示画面５２ａ上の任意の位置を指定することにより、その位置に表示された、例えばアイコン等に応じた指示を入力するマウス５４を備えている。この本体装置５１は、外観上、フレキシブルディスク（ＦＤ）を装填するためのＦＤ装填口５１ａ、およびＣＤＲＯＭを装填するためのＣＤＲＯＭ装填口５１ｂを有する。
【００４１】
本体装置５１の内部には、図３に示すように、各種プログラムを実行するＣＰＵ５１１、ハードディスク装置５１３に格納されたプログラムが読み出されＣＰＵ５１１での実行のために展開される主メモリ５１２、各種プログラムやデータ等が保存されたハードディスク装置５１３、ＦＤ１００が装填されその装填されたＦＤ１００をアクセスするＦＤドライブ５１４、ＣＤＲＯＭ１１０が装填され、その装填されたＣＤＲＯＭ１１０をアクセスするＣＤＲＯＭドライブ５１５、ワークステーション２０（図１参照）と接続され、ワークステーション２０から画像データを受け取る入力インタフェース５１６、プルーファとして用いられるプリンタ６０に画像データを送る出力インタフェース５１７が内蔵されており、これらの各種要素と、さらに図２にも示す画像表示装置５２、キーボード５３、マウス５４は、バス５５を介して相互に接続されている。
【００４２】
ここで、ＣＤＲＯＭ１１０には、このパーソナルコンピュータ５０を色変換装置として動作させるための色変換プログラムが記憶されており、そのＣＤＲＯＭ１１０はＣＤＲＯＭドライブ５１５に装填され、そのＣＤＲＯＭ１１０に記憶された色変換プログラムがこのパーソナルコンピュータ５０にインストールされてハードディスク装置５１３に記憶される。
【００４３】
図４は、ＣＤＲＯＭに記憶された、本発明の一実施形態としての色変換プログラムの模式構成図である。
【００４４】
このＣＤＲＯＭ１１０には、プロセス色処理部２１０、第１の特色処理部２２０、第２の特色処理部２３０、第３の特色処理部２４０、特色処理決定部２５０、および色合成部２６０からなる色変換プログラム２００が記憶されている。この色変換プログラム２００を構成する各部２１０〜２６０の作用については後述する。
【００４５】
図５は、本発明の一実施形態としての色変換装置の機能ブロック図である。
【００４６】
この図５に示す色変換装置３００は、図４に示す色変換プログラム２００が図１〜図３に示すパーソナルコンピュータ５０にインストールされてそのパーソナルコンピュータ５０で実行されることによりそのパーソナルコンピュータ５０により実現する機能を示したものである。
【００４７】
この図５に示す色変換装置３００は、印刷用画像データをプリンタ６０（図１参照）用の階調データに変換する色変換装置であり、プロセス色処理部３１０、第１の特色処理部３２０、第２の特色処理部３３０、第３の特色処理部３４０、特色処理決定部３５０、および色合成部３６０から構成されている。これらの各部３１０〜３６０は、図４に示す色変換プログラム２００がパーソナルコンピュータ５０にインストールされて実行されたときの、その色変換プログラム２００の対応する各部２１０〜２６０によってパーソナルコンピュータ５０内に実現する機能であり、以下、この色変換装置３００の各部３１０〜３６０について説明することで、図４の色変換プログラム２００の各部２１０〜２６０の説明を兼ねるものとする。
【００４８】
ここには、図１に示すワークステーション２０から、印刷用のＣ1Ｍ1Ｙ1Ｋ1４色のプロセス色の階調データＰ１と印刷用の特色の階調データＳ１と、その特色の特色名ＳＰが入力される。
【００４９】
尚、ここでは、図１に示すプリンタ６０は、Ｃ，Ｍ，Ｙ，Ｋの４色からなるプロセス色のインクのほか、Ｏ（オレンジ）とＧ（グリーン）の特色インクを併用したプリント画像の出力が可能なプリンタであることが想定されている。ここで、図１に示すプリンタ６０のＣＭＹＫを、印刷用のＣ1Ｍ1Ｙ1Ｋ1と区別するためにここではＣ2Ｍ2Ｙ2Ｋ2と表記する。
【００５０】
印刷用のプロセス色の階調データＰ１は、プロセス色処理部３１０に入力され、リンクプロファイル３１１が参照されてプリンタ６０（図１参照）で使用されるプロセスカラーインク（ここではＣ2Ｍ2Ｙ2Ｋ2の４色）の階調データＩに変換される。リンクプロファイル３１１は、印刷用のプロセス色（Ｃ1Ｍ1Ｙ1Ｋ1）とプリンタ用のプロセス色（Ｃ2Ｍ2Ｙ2Ｋ2）とを対応づけたＬＵＴ（ルックアップテーブル）である。このリンクプロファイル３１１については後述する。
【００５１】
また、印刷用の特色の階調データＳ１は、直接に色合成部３６０に入力される。
【００５２】
また、印刷用の特色の名称（特色名）ＳＰは、第１の特色処理部３２０、第２の特色処理部３３０、および第３の特色処理部３４０のそれぞれに入力される。
【００５３】
第１の特色処理部３２０に入力された特色名ＳＰは、Ｌ*ａ*ｂ*分解特色テーブル３２１が参照されてＬ*ａ*ｂ*値に変換され、さらにプリンタプロファイル３２２が参照されて、そのＬ*ａ*ｂ*値がプリンタ用のプロセス色（Ｃ2Ｍ2Ｙ2Ｋ2）の階調データＩmax1に変換される。ここで、Ｌ*ａ*ｂ*分解特色テーブル３２１は、印刷用の特色の特色名と、Ｌ*ａ*ｂ*色空間の、その特色の最大濃度（網％＝１００％）に対応する座標（Ｌ*ａ*ｂ*値）とを対応づけたテーブルであり、このＬ*ａ*ｂ*分解特色テーブル３２１が参照されて求められるＬ*ａ*ｂ*値は、その特色名ＳＰの特色の最大濃度（網％＝１００％）に対応するＬ*ａ*ｂ*値である。
【００５４】
また、プリンタプロファイル３２２は、Ｌ*ａ*ｂ*色空間とプリンタ用のプロセス色（Ｃ2Ｍ2Ｙ2Ｋ2）とを対応づけたＬＵＴである。ここで、Ｌ*ａ*ｂ*分解特色テーブル３２１が参照されて求められるＬ*ａ*ｂ*値がその特色の最大濃度（網％＝１００％）に対応するＬ*ａ*ｂ*値であることから、そのＬ*ａ*ｂ*値からプリンタプロファイル３２２を参照して求められるプリンタ用のプロセス色（Ｃ2Ｍ2Ｙ2Ｋ2）の階調データＩmax1も、その特色の最大濃度（網％＝１００％）に対応する階調データである。Ｌ*ａ*ｂ*分解特色テーブル３２１およびプリンタプロファイル３２２については後述する。
【００５５】
また、第２の特色処理部３３０では、Ｎ色分解テーブル３３１が参照されて、特色名ＳＰが直接にプリンタ用のインク色（Ｃ2Ｍ2Ｙ2Ｋ2ＯＧ）の階調データＩmax2に変換される。このＮ色分解テーブル３３１は、印刷用の特色の特色名と、その特色の最大濃度に対応するプリンタ用のインク色（Ｃ2Ｍ2Ｙ2Ｋ2ＯＧ）とを対応づけたテーブルであり、したがってこのＮ色分解テーブル３３１を参照して求められるプリンタ用のインク色（Ｃ2Ｍ2Ｙ2Ｋ2ＯＧ）の階調データＩmax2は、その特色の最大濃度（網％＝１００％）に対応するデータである。Ｎ色分解テーブル３３１については後述する。
【００５６】
さらに、第３の特色処理部３４０では、版名置き換えテーブル３４１が参照されて、入力されてきた印刷用の特色の特色名ＳＰが、プリンタ６０の特色のインク色名ＩＮ（ここで説明している例ではＯ（オレンジ）あるいはＧ（グリーン））に変換される。版名置き換えテーブル３４１は、印刷の特色の特色名とプリンタ６０の特色のインク色名とを対応づけるテーブルである。詳細は後述する。
【００５７】
特色処理決定部３５０には、シミュレーション方式決定テーブル３５１が定義されている。このシミュレーション方式決定テーブル３５１は、第１〜第３の特色処理部３２０，３３０，３４０のうちのどの特色処理部を利用するか、および利用する特色処理部が２つ以上のときはそれらの間の利用の優先順位が定義されたものであり、特色処理決定部３５０では、このシミュレーション方式決定テーブル３５１が参照されて利用する特色処理部および優先順位が決定され、各特色処理部３３０，３４０，３５０に通知される。
【００５８】
さらに、色合成部３６０は、プロセス色処理部３１０から出力されたプリンタ用のプロセス色（Ｃ2Ｍ2Ｙ2Ｋ2）の階調データＩと、印刷用の特色の階調データＳ１とが合成される。この合成にあたっては、第１〜第３の特色処理部３２０，３３０，３４０のうちの特色処理決定部３５０で利用することが決定された特色処理部からの出力（階調データＩmax1、階調データＩmax2、あるいはプリンタ用の特色のインク色名ＩＮ）が参照される。このとき、優先順位が決まっているときは、その優先順位に従う。
【００５９】
特色処理決定部３５０で利用することが決定された特色処理部からの出力（階調データＩmax1、階調データＩmax2、あるいはプリンタ用の特色のインク色名ＩＮ）は、特色の階調データＳ１の調整用として参照され、色合成部３６０では、その特色の階調データＳ１の調整が行なわれ、次いで、その調整後の特色の階調データとプロセス色の階調データＩとが合成される。特色の階調データＳ１の調整方法については後述する。この合成にあたっては、Ｃ2，Ｍ2，Ｙ2，Ｋ2，Ｏ，Ｇのそれぞれのインク色について２つの階調データが存在するときは、これらが相互に加算される。例えばＣ2について、プロセス色の階調データが網％＝３０％、階調後の特色の階調データが網％＝１５％のとき、Ｃ2について網％＝３０％＋１５％＝４５％の階調データに合成される。
【００６０】
このようにして、色合成部３６０では、Ｃ2，Ｍ2，Ｙ2，Ｋ2，Ｏ，Ｇのそれぞれについて合成が行なわれてプリンタ用画像データＰ２が生成される。
【００６１】
このプリンタ用画像データＰ２は、図１に示すプリンタ６０に送られ、プリンタ６０では、このプリンタ用画像データＰ２に基づいてプルーフ画像６１が生成される。
【００６２】
図６は、印刷プロファイルの概念図である。
【００６３】
前述したように、典型的な印刷条件に対応する印刷プロファイルは印刷業者から提供されることが多く、所望の印刷条件に対応する印刷プロファイルを入手することが出来れば印刷プロファイルの作成は不要であるが、ここでは、その印刷プロファイルを新たに作成するとした場合の基本的な作成方法について説明する。
【００６４】
図１に示すワークステーションからＣ1Ｍ1Ｙ1Ｋ1４色の網％データを例えば０％，１０％，……，１００％と順次変化させ、前述の印刷手順に従って、そのようにして発生させた網％データに基づくカラーパッチ画像を作成する。図１に示す画像４１は、カラーパッチ画像を表わしている画像ではないが、この画像４１に代えてカラーパッチ画像を印刷したものとし、そのカラーパッチ画像を構成する各カラーパッチを測色計７０で測色する。こうすることにより、Ｃ1Ｍ1Ｙ1Ｋ1４色の色空間上の座標値とＬ*ａ*ｂ*色空間上の座標値との対応関係をあらわす印刷プロファイルが構築される。
【００６５】
ここで、印刷プロファイルを作成するためのカラーパッチの作成にはＣ1Ｍ1Ｙ1Ｋ1４色のプロセスインクのみが用いられ特色インクは用いられない。特色インクを加えると作成された印刷プロファイルに汎用性がなくなり、また、様々な特色インクやそれらの組合せごとに印刷プロファイルを設定するのは極めて煩雑だからである。
【００６６】
図７は、プリンタプロファイルの概念図である。
【００６７】
前述したようにプリンタプロファイルもプリンタメーカから提供されることも多く、所望のプリンタ（ここでは図１に示すプリンタ６０）に対応するプリンタプロファイルを入手することが出来ればプリンタプロファイルの作成は不要である。ここでは、プリンタプロファイルを新たに作成するとした場合の基本的な作成方法について説明する。このプリンタプロファイルの作成方法は、上述した印刷プロファイルの作成方法と同様である。
【００６８】
ここでは、図１に示すパーソナルコンピュータ５０で、Ｃ2Ｍ2Ｙ2Ｋ2４色の画像データを各色について最低値（例えば０）から最高値（例えば１００）まで所定のきざみで順次変化させ、そのように順次発生させた画像データに基づくカラーパッチ画像を作成する。図１に示す画像６１は、カラーパッチ画像をあらわしている画像ではないが、この画像６１に代えてカラーパッチ画像を出力したものとし、そのカラーパッチ画像を構成する各カラーパッチを測色計７０で測色する。こうすることにより、プリンタ６０についての、Ｃ2Ｍ2Ｙ2Ｋ2４色の色空間上の座標値とＬ*ａ*ｂ*色空間上の座標値との対応関係をあらわすプリンタプロファイルが構築される。
【００６９】
図５の第１の特色処理部３２０で参照されるプリンタプロファイル３２２は、このようにして作成されたプリンタプロファイルである。
【００７０】
図８は、印刷プロファイルとプリンタプロファイルとを組合せて作成される、Ｃ1Ｍ1Ｙ1Ｋ1色空間の座標値をＣ2Ｍ2Ｙ2Ｋ2色空間の座標値に直接に変換するリンクプロファイルの概念図である。
【００７１】
ここでは、印刷プロファイルとプリンタプロファイルとを合体させることにより、Ｃ1Ｍ1Ｙ1Ｋ1色空間の座標値をＬ*ａ*ｂ*色空間を経由せずに直接にＣ2Ｍ2Ｙ2Ｋ2色空間内の座標値に変換するリンクプロファイルが構築される。
【００７２】
図５のプロセス色処理部３１０で参照されるリンクプロファイル３１１は、このようにして作成されたリンクプロファイルである。
【００７３】
図９は、Ｌ*ａ*ｂ*分解特色テーブルの一例を示す図である。
【００７４】
この図９には、印刷用の特色を表わすＳＰ１〜ＳＰ４の各特色名と、それらの各特色名ＳＰ１〜ＳＰ４に対応するＬ*ａ*ｂ*値が示されている。各特色名ＳＰ１〜ＳＰ４に対応して示されているＬ*ａ*ｂ*値は、その特色名を持つ特色インクの網％＝１００％（ベタ）のＬ*ａ*ｂ*値である。
【００７５】
前述したように、各特色名に対応するＬ*ａ*ｂ*値の情報はその特色インクのメーカ等から入手することができる。あるいはその特色インクのベタのパッチを出力して測色計でＬ*ａ*ｂ*値を測定してもよい。このＬ*ａ*ｂ*分解特色テーブルは、入手した特色名とそのＬ*ａ*ｂ*値を単純に書き込めば完成するテーブルであり、このテーブルの作成は容易である。ただし、このテーブル上のＬ*ａ*ｂ*値を変更したとき、最終的にプリンタ６０で出力される画像上の色がどのように変化するかは直感的には分かりにくい。このＬ*ａ*ｂ*分解特色テーブルは、図５の第１の特色処理部３２０で参照されるＬ*ａ*ｂ*分解特色テーブル３２１であり、本発明にいう第１の特色名変換テーブルの一例に相当する。
【００７６】
図１０は、Ｎ色分解テーブルの一例を示す図である。
【００７７】
このＮ色分解テーブルは、本発明にいう第２の特色名変換テーブルの一例に相当するテーブルであり、図５の第２の特色処理部３３０で参照されるＮ色分解テーブル３３１である。
【００７８】
図１に示すプリンタ６０は、プロセスインク（Ｃ2，Ｍ2，Ｙ2，Ｋ2）のほか、Ｏ（オレンジ）とＧ（グリーン）の特色インクを併用して画像６１をプリント出力することのできるプリンタであり、ここでは、Ｎ色分解テーブルの「Ｎ色」は、Ｃ2，Ｍ2，Ｙ2，Ｋ2，Ｏ，Ｇの６色を意味している。図１０に示すＮ色分解テーブルでは、特色名ＳＰ１とＳＰ３についてのみ、Ｃ2Ｍ2Ｙ2Ｋ2ＯＧの値（ＳＰ１の場合は、（Ｃ2Ｍ2Ｙ2Ｋ2ＯＧ）＝（２０  １０  ０  ０  ３０  １０）、ＳＰ２の場合は（Ｃ2Ｍ2Ｙ2Ｋ2ＯＧ）＝（５０  ２０  ０  ０  ０  ３０））が定義されている。この図１０のＮ色分解テーブルの（Ｃ2Ｍ2Ｙ2Ｋ2ＯＧ）の値は、例えばＳＰ１であれば、Ｃ2＝２０、Ｍ2＝１０、Ｙ＝０、Ｋ＝０、Ｏ＝３０、Ｇ＝１０という値を持つパッチデータを図１のプリンタ６０に入力してプリント出力することによりカラーパッチを作成しそのパッチを測色計で測色してＬ*ａ*ｂ*値を求めたときに、その測定により得られたＬ*ａ*ｂ*値が、その特色名ＳＰ１に対応する、メーカ等から入手したＬ*ａ*ｂ*値、すなわち、その特色名ＳＰの特色インクの網％＝１００％のベタのパッチを測色計で測定してＬ*ａ*ｂ*値を求めたときのＬ*ａ*ｂ*値に一致するように決めた値である。
【００７９】
このＮ色分解テーブルを作成するには、例えば上記のようにして試行錯誤的にＣ2Ｍ2Ｙ2Ｋ2ＯＧの各値を決定する必要があり、図９のＬ*ａ*ｂ*分解特色テーブルを作成するよりもかなり大変である。ただし、一度作成しておけば、最終的にプリンタ６０で出力される画像上の色を調整しようとするときはこのテーブルのＣ2Ｍ2Ｙ2Ｋ2ＯＧの値を調整すればよく、このテーブルのＣ2Ｍ2Ｙ2Ｋ2ＯＧの値はそのプリンタ６０に依存しており、プリント出力される画像の色を調整したい方向とこのＣ2Ｍ2Ｙ2Ｋ2ＯＧの値の調整の方向とを直感的に結びつけることができる。
【００８０】
尚、ここでは、プリンタ６０はＣ2Ｍ2Ｙ2Ｋ2ＯＧの６色のインクを使用することができるプリンタであることから、図１０のＮ色分解テーブルは、印刷用の特色名をＣ2Ｍ2Ｙ2Ｋ2ＯＧの６色に分解するように定義されているが、Ｃ2Ｍ2Ｙ2Ｋ2のプロセスインクのみを使用するプリンタの場合は、図１０のＮ色分解テーブルに代えて、印刷用の特色名をＣ2Ｍ2Ｙ2Ｋ2の４色に分解するテーブルが採用され、Ｒ（レッド），Ｇ（グリーン），Ｂ（ブルー）の３色の階調データを受け付けるプリンタの場合は、印刷用の特色名をＲＧＢの３色に分解するテーブルが採用される。ただし、ここで説明しているプリンタ６０のように特色インクを併用するプリンタであっても、印刷用の特色名をプロセス色（Ｃ2Ｍ2Ｙ2Ｋ2）のみに分解するテーブルを採用してもよい。
【００８１】
図１１は、版名置き換えテーブルの一例を示す図である。
【００８２】
この版名置き換えテーブルは、図５の第３の特色処理部３４０で参照される版名置き換えテーブル３４１であり、本発明にいう第３の特色名変換テーブルの一例に相当する。
【００８３】
ここの版名置き換えテーブルは、印刷用の特色インクの名称（特色名）と、プリンタ６０で使用可能な特色インクのインク色名（ここでは、オレンジ（Ｏ）とグリーン（Ｇ））との対応関係を示すテーブルである。この図１１では、印刷用の特色名ＳＰ１がプリンタ６０で使用されるインク色名Ｏに対応づけられ、印刷用の特色名ＳＰ２がプリンタ６０で使用されるインク色名Ｇに対応づけられている。印刷用の特色名ＳＰ３，ＳＰ４は対応づけられていない。
【００８４】
尚、ここでは、概念的な一例を示したのであって、例えば特色名ＳＰ１に関しては図９のＬ*ａ*ｂ*分解特色テーブルにおいて（Ｌ*，ａ*，ｂ*）＝（１０，３０，４０）に対応づけられ、図１０のＮ色分解特色テーブルにおいては（Ｃ2Ｍ2Ｙ2Ｋ2ＯＧ）＝（２０，１０，０，０，３０，１０）に対応づけられ、図１１の版名置き換えテーブルではオレンジ（Ｏ）に対応づけられているが、これらはあくまでもここでの説明の便宜上のものであり、ここでの説明を離れて客観的な意味で同一の色度を表わしていることを保証するものではない。
【００８５】
図１２は、図５の特色決定処理部３５０で参照されるシミュレーション方式決定テーブルの一例を示す図である。
【００８６】
本実施形態では、特色に関し、図５の第１の特色処理部３２０で採用される特色処理アルゴリズムである第１シミュレーション方式と、図５の第２の特色処理部３３０で採用される特色処理アルゴリズムである第２シミュレーション方式と、図５の第３の特色処理部３４０で採用される特色処理アルゴリズムである第３シミュレーション方式が利用可能である。そこで、ここでは図１２に一例を示すようなシミュレーション方式決定テーブルを設けておき、オペレータにより、このテーブルに、第１〜第３の各シミュレーション方式に関し、そのシミュレーション方式を利用するか否か（ＳＷの欄）と、利用するシミュレーション方式が２つ以上の場合に、利用する複数のシミュレーション方式のうちのどのシミュレーション方式を優先的に利用するかという優先順が書き込まれる。
【００８７】
図１２に示す例では、第１シミュレーション方式は利用しない（ＳＷ＝ＯＦＦ）、第２シミュレーション方式と第３シミュレーション方式との双方を利用する（ＳＷ＝ＯＮ）、それら第２シミュレーション方式と第３シミュレーション方式のうち、第３シミュレーション方式の優先順が１位、第２シミュレーション方式の優先順が２位であることが定義されている。
【００８８】
図１３は、図４の色変換プログラム２００の概念的なフローチャートを示す図である。
【００８９】
先ずプロセスカラーと特色とからなる印刷用画像データを受け取ると、プロセスカラー（Ｃ1Ｍ1Ｙ1Ｋ1）と特色（ここでは最大４種類の特色ＳＰ１，ＳＰ２，ＳＰ３，ＳＰ４）とに分離され（ステップＳ１１）、プロセスカラー（Ｃ1Ｍ1Ｙ1Ｋ1）についてはステップＳ１２で、プリンタ用のプロセスカラー（Ｃ2Ｍ2Ｙ2Ｋ2）に色変換される。
【００９０】
このステップＳ１２における色変換は、図４の色変換プログラム２００のプロセス色処理部２１０および図５の色変換装置３００のプロセス色処理部３１０に相当する。このステップＳ１２でプリンタ用に変換されたプロセスカラー（Ｃ2Ｍ2Ｙ2Ｋ2）には、プロセスカラー合成処理（ステップＳ１３）が行なわれる。このプロセスカラー合成処理（ステップＳ１３）については後述する。
【００９１】
ステップＳ１１でプロセスカラー（Ｃ1Ｍ1Ｙ1Ｋ1）と分離された特色（ＳＰ１，ＳＰ２，ＳＰ３，ＳＰ４）に関しては、特色処理方法が決定されて（ステップＳ１４）、特色処理（ステップＳ１５）が実行される。ここで、この特色処理（ステップＳ１５）に入力される特色のデータは、特色名とその特色名を持つ特色の各画素の網％値とからなる。ステップＳ１４の特色処理方法決定のステップは、図４の色変換プログラム２００の特色処理決定部２５０および図５の色変換装置の特色処理決定部３５０に相当し、ステップＳ１５の特色処理ステップは、図４の色変換プログラム２００の第１〜第３の特色処理部２２０〜２４０および図５の色変換装置３００の第１〜第３の特色処理部３２０〜３４０に相当する。図１３のステップＳ１５の特色処理の詳細については後述する。
【００９２】
この特色処理（ステップＳ１５）でエラーが発生したときは、オペレータへのエラー内容の通知など特色処理に関するエラー処理が行なわれ（ステップＳ１６）、エラーがなかったときは、プロセスカラー合成処理フラグ（ステップＳ１３）と特色合成処理（ステップＳ１７）に進む。ステップＳ１５の特色処理を経てプロセスカラー合成処理（ステップＳ１３）に進むときは、もともと特色の網％値が分かっており、さらにステップＳ１５の特色処理においてその特色のベタに相当するＣ2Ｍ2Ｙ2Ｋ2値（ここではこれを（Ｃ2Ｍ2Ｙ2Ｋ2）maxと表記する）が求められ、これらの値が、プロセスカラーに関する色変換処理（ステップＳ１２）で得られたＣ2Ｍ2Ｙ2Ｋ2値と合成処理され（ステップＳ１３）、プリンタ６０（図１参照）に送られるプリンタ画像データを構成するプロセスカラーのデータ（Ｃ2Ｍ2Ｙ2Ｋ2値）が生成される。
【００９３】
このプロセスカラー合成処理ステップ（ステップＳ１３）では、先ず、特色網％値とその特色の（Ｃ2Ｍ2Ｙ2Ｋ2）max値とから、その特色のＣ2Ｍ2Ｙ2Ｋ2値が求められる。例えば、ある１つの画素について特色網％値が６０％、（Ｃ2Ｍ2Ｙ2Ｋ2）maxが（４０，３０，２０，１０）のときは、その特色のＣ2Ｍ2Ｙ2Ｋ2値として（Ｃ2，Ｍ2，Ｙ2，Ｋ2）＝（４０×０．６  ３０×０．６  ２０×０．６  １０×０．６）＝（２４  １８  １２  ６）が求められる。
【００９４】
プロセスカラー合成処理ステップ（ステップＳ１３）では、このようにして求めた特色のＣ2Ｍ2Ｙ2Ｋ2値と、ステップＳ１２での色変換で得られたＣ2Ｍ2Ｙ2Ｋ2値とが合成される。例えば上記のようにして、ある画素について特色のＣ2Ｍ2Ｙ2Ｋ2値として（Ｃ2，Ｍ2，Ｙ2，Ｋ2）＝（２４  １８  １２  ６）が求められ、その画素と同一の画素についてのステップＳ１２での色変換で得られたＣ2Ｍ2Ｙ2Ｋ2値が例えば（Ｃ2，Ｍ2，Ｙ2，Ｋ2）＝（２０  １５  １０  ５）であったときは、それら双方のＣ2Ｍ2Ｙ2Ｋ2値が相互に加算されて、（Ｃ2，Ｍ2，Ｙ2，Ｋ2）＝（２４＋２０，１８＋１５，１２＋１０，６＋５）＝（４４  ３３  ２２  １１）に合成される。ここでは簡単のためその１つの画素について特色は１種類のみであることを前提としている。２種類以上の特色があるときは、それら複数の特色の全てが加算対象となる。ここでは合成処理の一例として単純な加算処理を示したが、さらに複雑な合成処理アルゴリズムを採用してもよい。
【００９５】
また、ステップＳ１７の、特色合成処理では、特色の網％値と、特色処理（ステップＳ１５）で求められた、その特色のベタの、Ｏ（オレンジ）とＧ（グリーン）の値（ここでは、これを（ＯＧ）maxと表記する）に特色合成処理が施される。あるいは、後述するように、第３シミュレーション方式（第３の特色処理部）で処理が行なわれたときは（ＯＧ）maxに代わり印刷用の特色名に対応するＯ又はＧのインク色名が求められる。このときは（ＯＧ）maxとしてＯ又はＧの最大値（網％＝１００％）が求められたことと等価であり、ここでは、便宜上、この場合を含め（ＯＧ）maxと表記する。
【００９６】
ステップＳ１７では、以下のようにして、プリンタの特色（ここではＯとＧ）について合成処理が行なわれる。
【００９７】
ここでは、例えばある画素について特色の網％が６０％、（ＯＧ）max値が（Ｏ，Ｇ）＝（８０，０）のときは、その特色のそのプリンタの特色インクの網％値として（Ｏ，Ｇ）＝（８０×０．６  ０×０．６）＝（４８，０）が求められる。すなわち、ここでは、その印刷用の特色の網％＝６０％は、オレンジ（Ｏ）のインクの網％＝４８％で表現され、グリーン（Ｇ）は使用されない。また別の例を挙げると、第３シミュレーション方式が採用され、Ｏ又はＧのインク色名が求められたときは、例えばここではそのインク色名がＧ（グリーン）であり、印刷用の特色の網％＝６０％であったときは、上述のとおり、（ＯＧ）max値として（Ｏ，Ｇ）＝（０，１００）が求められたことと等価であり、Ｇのインクの網％＝６０％（１００％×０．６＝６０％）が採用される。
【００９８】
以上は印刷用の特色が１種類のみである場合の説明であるが、ある１つの画素について印刷用の特色として２種類以上の特色が採用されているときは、個々の特色について求められたＯの網％値どうしが相互に加算されるとともに、Ｇの網％値どうしが相互に加算されて、最終的にその画素のＯとＧのプリンタ用の階調データが求められる。
【００９９】
このようにして求められた、プリンタ用のＣ2Ｍ2Ｙ2Ｋ2ＯＧの階調データは、プリンタ６０（図１参照）に入力され、プリンタ６０ではそのデータに基づいてプルーフ画像が出力される。
【０１００】
図１４は、第１シミュレーション方式の説明図である。
【０１０１】
この図１４の第１シミュレーション方式は、図４の第１の特色処理部２２０および図５の第２の特色処理部３２０の作用を表わしている。
【０１０２】
ここでは、図９に示すＬ*ａ*ｂ*分解特色テーブルが参照されて、その印刷用の特色名の特色がＬ*ａ*ｂ*に分解可能かどうか、すなわち、図９のＬ*ａ*ｂ*分解特色テーブル中にその特色名とＬ*ａ*ｂ*値との対応関係が定義されているかどうかが判定され（ステップＳ２１）、可能なときは、Ｌ*ａ*ｂ*分解処理、すなわち、そのＬ*ａ*ｂ*分解特色テーブルを参照してその特色名をＬ*ａ*ｂ*値に変換する処理が行なわれる（ステップＳ２２）。ここで求められたＬ*ａ*ｂ*値は、（Ｌ*ａ*ｂ*）max、すなわち、その特色の最大濃度（ベタ）のＬ*ａ*ｂ*値である。この求められた（Ｌ*ａ*ｂ*）maxが、今度はプリンタプロファイル（図７参照）が参照されて（Ｃ2Ｍ2Ｙ2Ｋ2）max、すなわちその特色の最大濃度（ベタ）の、プリンタ６０（図１参照）のＣ2Ｍ2Ｙ2Ｋ2値に変換される（ステップＳ２３）。また、ここには特色網％のデータが最初から付随している。
【０１０３】
ステップＳ２１でＬ*ａ*ｂ*分解不可能、すなわち図９に示すＬ*ａ*ｂ*分解特色テーブルに、その特色名とＬ*ａ*ｂ*値との対応が定義されてないときは、何もせずにこのルーチンを抜ける。
【０１０４】
ここでは、この図１４の第１シミュレーション方式全体をステップＳ２０と称する。
【０１０５】
図１５は、第２シミュレーション方式の説明図である。
【０１０６】
この図１５の第２シミュレーション方式は、図４の第２の特色処理部２３０および図５の第２の特色処理部３３０の作用を表わしている。
【０１０７】
ここでは、図１０に示すＮ色分解テーブルが参照されて、その特色がＮ色（ここではＣ2Ｍ2Ｙ2Ｋ2ＯＧの６色）に分解可能かどうか、すなわち、図１０のＮ色分解テーブル中にその特色名とＣ2Ｍ2Ｙ2Ｋ2ＯＧ値との対応関係が定義されているかどうかが判定され（ステップＳ３１）、可能なときは、Ｎ色分解処理、すなわちそのＮ色分解テーブルを参照してその特色名をＣ2Ｍ2Ｙ2Ｋ2ＯＧ値に変換する処理が行なわれる（ステップＳ３２）。
【０１０８】
ここで求められたＣ2Ｍ2Ｙ2Ｋ2ＯＧ値は、（Ｃ2Ｍ2Ｙ2Ｋ2ＯＧ）max、すなわちその特色の最大濃度（ベタ）に対応するＣ2Ｍ2Ｙ2Ｋ2ＯＧ値である。また、ここにも特色網％のデータが最初から付随している。
【０１０９】
ステップＳ３１でＮ色分解不可能、すなわち、図１０に示すＮ色分解テーブルにその特色名とＣ2Ｍ2Ｙ2Ｋ2ＯＧ値との対応が定義されていないときは、何もせずにこのルーチンを抜ける。
【０１１０】
ここでは、図１５の第２シミュレーション方式全体をステップＳ３０と称する。
【０１１１】
図１６は、第３シミュレーション方式の説明図である。
【０１１２】
この図１６の第３シミュレーション方式は、図４の第３の特色処理部２４０および図５の第３の特色処理部３４０の作用を表わしている。
【０１１３】
ここでは、図１１に示す版名置き換えテーブルが参照されて、その特色名の特色がプリンタの特色インク単独（ここではＯ（オレンジ）あるいはＧ（グリーン））で出力可能かどうか、すなわち、図１１の版名置き換えテーブル中にその印刷用の特色名とプリンタのインク名との対応関係が定義されているか否かが判定され（ステップＳ４１）、プリンタの特色インク単独での出力が可能なときは、版名置き換え、すなわち、図１１の版名置き換えテーブルを参照して、その印刷用の特色名をプリンタの特色インクのインク色名（ここではＯあるいはＧ）に置き換える処理が行なわれる。
【０１１４】
この場合、最初から付随している印刷用の特色の網％値がそのまま、置き換えられたインク名（ＯあるいはＧ）の特色インクの網％値として採用される。これは、図１４、図１５の第１シミュレーション方式、第２シミュレーション方式で求められる（Ｃ2Ｍ2Ｙ2Ｋ2）max、（Ｃ2Ｍ2Ｙ2Ｋ2ＯＧ）maxと同等に表記すると、（ＯＧ）maxとしてＯ又はＧの網１００％値が求められ、その網１００％値と、付随してきている印刷用の特色網％値との掛け算により、プリンタの特色インク（Ｏ又はＧ）の網％値が求められることと等価である。したがって、ここでは表記の統一のため、（ＯＧ）maxと表記する。
【０１１５】
図１１に示す版名置き換えテーブルに対応関係が定義されていない特色については、何もせずにこのルーチンを抜ける。
【０１１６】
尚、ここでは、図１６に示す第３シミュレーション方式全体をステップＳ４０と称する。
【０１１７】
図１３のステップＳ１５の特色処理では、図１４〜図１６に示した第１〜第３シミュレーション方式が、図１２に例示するシミュレーション方式決定テーブルに従って組み合わされて（図１３ステップＳ１４参照）、実行される。
【０１１８】
以下では、シミュレーション方式決定テーブルに応じた第１〜第３シミュレーション方式の組合せについて説明する。以下に説明する各組合せ（図１７、図１９、図２１、図２３）は、それぞれが、シミュレーション方式決定テーブルに従う特色処理（図１３ステップＳ１５）に相当する。
【０１１９】
図１７は、図１２に示すシミュレーション方式決定ケーブルに対応した組合せを示すフローチャートである。
【０１２０】
図１２のシミュレーション方式決定テーブルには、第１シミュレーション方式は「ＯＦＦ」であるため、第１シミュレーション方式は使用しない。また、第２シミュレーション方式と第３シミュレーション方式はいずれも「ＯＮ」であるためそれらの双方のシミュレーション方式が使用されるが、第３シミュレーション方式の方が優先順が上であるため、第３シミュレーション方式が優先的に利用される。
【０１２１】
図１７では、先ず第３シミュレーション方式（図１６参照）が実行され、図１１の版名置き換えテーブルに対応が定義されている特色については、その特色名がプリンタのインク色名（ここではＯあるいはＧ）に置き換えられる（ステップＳ４０）。図１７のステップＳ４０に表記した（ＯＧ）maxは前述のとおり、ＯあるいはＧの網％＝１００％を意味している。
【０１２２】
版名置き換えテーブルに対応が定義されておらず、したがってステップＳ４０の第３シミュレーション方式では変換できなかった特色については、今度は、第２シミュレーション方式（図１５参照）が実行される。ここでは、図１０のＮ色分解テーブルが参照されて、その特色の特色名が（Ｃ2Ｍ2Ｙ2Ｋ2ＯＧ）maxに変換される（ステップＳ３０）。
【０１２３】
第３シミュレーション方式（ステップＳ４０）および第２シミュレーション方式（ステップＳ３０）のいずれでも変換されない特色が残ったときはエラー処理（図１３ステップＳ１６）が実行される。
【０１２４】
図１７のステップＳ３０では、（Ｃ2Ｍ2Ｙ2Ｋ2）maxと（ＯＧ）maxとに分けて示されているが、これはプロセスカラーと特色とを分けて表記したに過ぎず、それら双方を合わせた表記（Ｃ2Ｍ2Ｙ2Ｋ2ＯＧ）maxと等価である。
【０１２５】
図１８は、シミュレーション方式決定テーブルの他の例を示す図である。
【０１２６】
この図１８に示すシミュレーション方式決定テーブルには、第１シミュレーション方式と第３シミュレーション方式が「ＯＮ」、第２シミュレーション方式が「ＯＦＦ」となっており、したがって第１シミュレーション方式と第３シミュレーション方式が利用され、第２シミュレーション方式はここでは利用されない。また、第１シミュレーション方式は優先順が「２」、第３シミュレーション方式は優先順が「１」なので、第３シミュレーション方式の方が優先的に利用される。
【０１２７】
図１９は、図１８に示すシミュレーション方式決定テーブルに対応した組合せを示すフローチャートである。
【０１２８】
ここでは先ず第３シミュレーション方式が実行され（ステップＳ４０；図１６参照）、次に第１シミュレーション方式が実行される（ステップＳ２０）。
【０１２９】
第３シミュレーション方式（ステップＳ４０）は、図１７の第３シミュレーション方式と同じであり、説明は省略する。
【０１３０】
図１９の第１シミュレーション方式（ステップＳ２０）では、図１４に示す処理、すなわち、図９のＬ*ａ*ｂ*分解特色テーブルが参照され、第３シミュレーション方式（ステップＳ４０）では変換されなかった特色について、そのＬ*ａ*ｂ*分解特色テーブルに従って（Ｌ*ａ*ｂ*）maxが求められ、次いで図７のプリンタプロファイルが参照されて（Ｃ2Ｍ2Ｙ2Ｋ2）maxが求められる。
【０１３１】
第３シミュレーション方式（ステップＳ４０）および第１シミュレーション方式（ステップＳ２０）のいずれでも変換されない特色があったときは、エラー処理（図１３ステップＳ１６）が実行される。
【０１３２】
図２０は、シミュレーション方式決定テーブルのもう１つの例を示す図である。
【０１３３】
この図２０に示すシミュレーション方式決定テーブルには、第１シミュレーション方式と第２シミュレーション方式が「ＯＮ」、第３シミュレーション方式が「ＯＦＦ」となっており、したがって第１シミュレーション方式と第２シミュレーション方式が利用され、第３シミュレーション方式はここでは利用されない。また、第１シミュレーション方式は優先順が「２」、第２シミュレーション方式は優先順が「１」なので、第２シミュレーション方式の方が優先的に利用される。
【０１３４】
図２１は、図２０に示すシミュレーション方式決定テーブルに対応した組合せを示すフローチャートである。
【０１３５】
ここでは先ず第２シミュレーション方式が実行され（ステップＳ３０；図１５参照）、次に第１シミュレーション方式が実行される（ステップＳ２０）。
【０１３６】
第２シミュレーション方式（ステップＳ３０）は、図１７の第２シミュレーション方式と同じであり、また、第１シミュレーション方式（ステップＳ２０）は図１９の第１シミュレーション方式と同じであり、説明は省略する。
【０１３７】
第２シミュレーション方式（ステップＳ３０）および第１シミュレーション方式（ステップＳ２０）のいずれでも変換されない特色があったときは、エラー処理（図１３ステップＳ１６）が実行される。
【０１３８】
図２２は、シミュレーション方式決定テーブルのさらに異なる例を示す図である。
【０１３９】
また、図２３は、図２２に示すシミュレーション方式決定テーブルに対応した組合せを示すフローチャートである。
【０１４０】
図２２に示すシミュレーション方式決定テーブルには、第１〜第３のシミュレーション方式のいずれもが「ＯＮ」、すなわち、第１〜第３のシミュレーション方式のいずれも利用することが定義されている。また優先順は第１シミュレーション方式が「３」、第２シミュレーション方式が「２」、第３シミュレーション方式が「１」である。したがって図２３に示すように先ず第３シミュレーション方式（ステップＳ４０）が実行され、その第３シミュレーション方式では変換されなかった特色について第２シミュレーション方式（ステップＳ３０）が実行され、この第２シミュレーション方式でも変換されなかった特色について第１シミュレーション方式（ステップＳ２０）が実行される。それでもなお変換されなかった特色が残ったときは、図１３のステップＳ１６でエラー処理が行なわれる。
【０１４１】
図２４は、図２２のシミュレーション方式決定テーブルに従う図２３の概念的なフローチャートを具体的に展開して示したフローチャートである。
【０１４２】
ここでは、この図２４を参照して、図２２のシミュレーション方式決定テーブルに従う特色処理（図１３ステップＳ１５）の流れを再度説明しておく。
【０１４３】
ここには、印刷用のプロセスカラーＣ1Ｍ1Ｙ1Ｋ1と印刷用の特色ＳＰ１，ＳＰ２，ＳＰ３，ＳＰ４からなる印刷用画像データが入力され、先ずプロセスカラー（Ｃ1Ｍ1Ｙ1Ｋ1）と特色（ＳＰ１，ＳＰ２，ＳＰ３，ＳＰ４）に分けられる（ステップＳ１１；図１３のステップＳ１１に対応する）。
【０１４４】
プロセスカラー（Ｃ1Ｍ1Ｙ1Ｋ1）についてはリンクプロファイル（図８参照）が参照されて色変換が行なわれ（ステップＳ１２；図１３のステップＳ１２に対応する）、プリンタ用のプロセスカラー（Ｃ2Ｍ2Ｙ2Ｋ2）のデータが得られる。このプロセスカラー（Ｃ2Ｍ2Ｙ2Ｋ2）については、以下に説明する、印刷用の特色が変換されたプロセスカラーとの間でプロセスカラー合成処理（ステップＳ１３）が行なわれる。
【０１４５】
ステップＳ１１でプロセスカラー（Ｃ1Ｍ1Ｙ1Ｋ1）と分離された特色（ＳＰ１，ＳＰ２，ＳＰ３，ＳＰ４）については、版名置き換えテーブル（図１１参照）が参照されて、その印刷用の特色をプリンタの特色インク単独で出力することが可能であるか否かが判定される。
【０１４６】
図１１の版名変換テーブルでは印刷用の特色ＳＰ１，ＳＰ２についてはそれぞれオレンジ（Ｏ）、グリーン（Ｇ）に置き換え可能であり、版名置き換え（ＳＰ→Ｏ，ＳＰ２→Ｇ）が行なわれる（ステップＳ４０）。
【０１４７】
ステップＳ４１で特色インク単独出力不可能と判定された特色（ＳＰ３，ＳＰ４）については、次にＮ色分解テーブル（図１０が参照）が参照され、Ｎ色分解可能か否かが判定される（ステップＳ３１）。
【０１４８】
図１０のＮ色分解テーブルによれば、ＳＰ３とＳＰ４のうち、ＳＰ３のみＮ色分解可能でありＳＰ４はＮ色分解不可能である。尚、図１０のＮ色分解テーブルでは、ＳＰ１についてもＮ色分解可能であるが、ＳＰ１はステップＳ４１で特色インク単独出力可能と判定されたため、ステップＳ３１では判定対象外である。ＳＰ３についてはステップＳ３１でＮ色分解可能と判定されてＮ色分解される（ステップＳ３０）。ここで、図１０のＮ色分解テーブルによれば、ＳＰ３は、（Ｃ2Ｍ2Ｙ2Ｋ2ＯＧ）＝（５０  ２０  ０  ０  ０  ３０）に変換される。
【０１４９】
ＳＰ４については、ステップＳ３１でＮ色分解不可能と判定されたため、図９のＬ*ａ*ｂ*分解特色テーブルを参照してのＬ*ａ*ｂ*分解処理および図７のプリンタプロファイルを参照しての色変換処理が行なわれる（ステップＳ２０）。
【０１５０】
ステップＳ１３では、上記のようにして求められたプロセスカラーが集められて、前述の例のようにして合成され、ステップＳ１７では上記のようにして求められたプリンタの特色インク（ＯとＧ）について合成される。これらステップＳ１３とステップＳ１８とを合わせたものが、図４の合成部２６０および図５の色合成部３６０に相当する。
【０１５１】
このようにして最終的に求められたＣ2Ｍ2Ｙ2Ｋ2ＯＧからなるプリンタ用画像データがプリンタ６０（図１参照）に送られ、プリンタ６０ではこの送られてきたプリンタ用画像データに基づく画像６１（図１参照）が出力される。
【０１５２】
尚、上記の実施形態では、シミュレーション方式決定テーブルを用いて、第１シミュレーション方式（第１の特色処理部）、第２シミュレーション方式（第２の特色処理部）、および第３シミュレーション方式（第３の特色処理部）のそれぞれについて、利用するか否かということと、複数利用する場合の優先度との双方について定義したが、優先度については固定的に、例えば図２２に示すシミュレーション方式決定テーブルの用に定めておき、各シミュレーション方式（各特色処理部）を利用するか否か、という点のみ各シミュレーション方式（各特色処理部）ごとに定義してもよい。
【０１５３】
また、ここではＣＭＹＫと特色のデータに基づいて画像を出力するプリンタを例に挙げて説明したがＲＧＢのデータに基づいて画像を出力するプリンタの場合にも、上記と同様にして本発明を適用することができる。
【図面の簡単な説明】
【０１５４】
【図１】本発明の一実施形態が適用された印刷およびプルーフ画像作成システムの全体構成図である。
【図２】パーソナルコンピュータの外観斜視図である。
【図３】パーソナルコンピュータのハードウェア構成図である。
【図４】本発明の一実施形態としての色変換プログラムの模式構成図である。
【図５】本発明の一実施形態としての色変換装置の機能ブロック図である。
【図６】印刷プロファイルの概念図である。
【図７】プリンタプロファイルの概念図である。
【図８】印刷プロファイルとプリンタプロファイルとを組合せて作成される、Ｃ1Ｍ1Ｙ1Ｋ1色空間の座標値をＣ2Ｍ2Ｙ2Ｋ2色空間の座標値に直接に変換するリンクプロファイルの概念図である。
【図９】Ｌ*ａ*ｂ*分解特色テーブルの一例を示す図である。
【図１０】Ｎ色分解テーブルの一例を示す図である。
【図１１】版名置き換えテーブルの一例を示す図である。
【図１２】シミュレーション方式決定テーブルの一例を示す図である。
【図１３】図４の色変換プログラムの概念的なフローチャートを示す図である。
【図１４】第１シミュレーション方式の説明図である。
【図１５】第２シミュレーション方式の説明図である。
【図１６】第３シミュレーション方式の説明図である。
【図１７】図１２に示すシミュレーション方式決定ケーブルに対応した組合せを示すフローチャートである。
【図１８】シミュレーション方式決定テーブルの他の例を示す図である。
【図１９】図１８に示すシミュレーション方式決定テーブルに対応した組合せを示すフローチャートである。
【図２０】シミュレーション方式決定テーブルのもう１つの例を示す図である。
【図２１】図２０に示すシミュレーション方式決定テーブルに対応した組合せを示すフローチャートである。
【図２２】シミュレーション方式決定テーブルのさらに異なる例を示す図である。
【図２３】図２２に示すシミュレーション方式決定テーブルに対応した組合せを示すフローチャートである。
【図２４】図２２のシミュレーション方式決定テーブルに従う図２３の概念的なフローチャートを具体的に展開して示したフローチャートである。
【符号の説明】
【０１５５】
１０    カラースキャナ
２０    ワークステーション
３０    フィルムプリンタ
４０    印刷機
４１    画像
５０    パーソナルコンピュータ
６０    プリンタ
６１    プルーフ画像
７０    測色計
１１０    ＣＤＲＯＭ
２００    色変換プログラム
２１０    プロセス色処理部
２２０    第１の特色処理部
２３０    第２の特色処理部
２４０    第３の特色処理部
２５０    特色処理決定部
２６０    色合成部
３００    色変換装置
３１０    プロセス色処理部
３１１    リンクプロファイル
３２０    第１の特色処理部
３２１    Ｌ*ａ*ｂ*分解特色テーブル
３２２    プリンタプロファイル
３３０    第２の特色処理部
３３１    Ｎ色分解テーブル
３４０    第３の特色処理部
３４１    版名置き換えテーブル
３５０    特色処理決定部
３５１    シミュレーション方式決定テーブル
３６０    色合成部
【図１】
2005278074.tif 000003
【図２】
2005278074.tif 000004
【図３】
2005278074.tif 000005
【図４】
2005278074.tif 000006
【図５】
2005278074.tif 000007
【図６】
2005278074.tif 000008
【図７】
2005278074.tif 000009
【図８】
2005278074.tif 000010
【図９】
2005278074.tif 000011
【図１０】
2005278074.tif 000012
【図１１】
2005278074.tif 000013
【図１２】
2005278074.tif 000014
【図１３】
2005278074.tif 000015
【図１４】
2005278074.tif 000016
【図１５】
2005278074.tif 000017
【図１６】
2005278074.tif 000018
【図１７】
2005278074.tif 000019
【図１８】
2005278074.tif 000020
【図１９】
2005278074.tif 000021
【図２０】
2005278074.tif 000022
【図２１】
2005278074.tif 000023
【図２２】
2005278074.tif 000024
【図２３】
2005278074.tif 000025
【図２４】
2005278074.tif 000026